(57)【要約】【課題】ハンドオーバの際により高速なセル切り替え周期でセル選択を行うことができる無線基地局装置及び移動端末装置を提供すること。【解決手段】本発明の無線基地局装置は、遠隔に張り出すことのできる複数の送受信部１ｂ、１ｃと、移動端末装置からの情報に基づいて、ハンドオーバの際に高速セル選択が適用されるかどうかを判定するＦＣＳ適用判定部１１１と、前記ＦＣＳ適用判定部１１１においてＦＣＳを適用すると判定されたときに、第１及び第２送受信部の送信／送信停止を制御するマルチセルスケジューリング制御部１１０と、を具備することを特徴とする。【選択図】図２
2010045550.tif 000002
【特許請求の範囲】
【請求項１】
自装置から遠隔に張り出すことができる複数の送受信部を備えた送受信手段と、移動端末装置からの情報に基づいて、当該移動端末装置のハンドオーバの際に高速セル選択が適用されるかどうかを判定する高速セル選択判定手段と、前記高速セル選択判定手段において高速セル選択を適用すると判定されたときに、前記複数の送受信部のそれぞれについて送信／送信停止を制御する制御手段と、を具備することを特徴とする無線基地局装置。
【請求項２】
前記高速セル選択を適用すると判定されたときに、高速セル選択情報を前記移動端末装置に通知する通知手段を具備することを特徴とする請求項１記載の無線基地局装置。
【請求項３】
前記高速セル選択を適用すると判定されたときに、セル固有参照信号に加えて端末固有参照信号を生成する参照信号生成手段を具備することを特徴とする請求項１又は請求項２記載の無線基地局装置。
【請求項４】
前記高速セル選択を適用すると判定されたときに、送信を行う送受信部の識別情報を含む制御信号を生成する制御信号生成手段を具備することを特徴とする請求項１から請求項３のいずれかに記載の無線基地局装置。
【請求項５】
前記制御信号生成手段は、送信電力情報を含めて制御信号を生成することを特徴とする請求項４記載の無線基地局装置。
【請求項６】
前記制御信号生成手段は、端末固有参照信号の有無の情報を含めて制御信号を生成することを特徴とする請求項４記載の無線基地局装置。
【請求項７】
無線基地局装置からのセル固有参照信号を用いてチャネル推定を行うチャネル推定手段と、前記チャネル推定手段で求められた通信環境情報を生成する通信環境情報生成手段と、を具備し、前記通信環境情報生成手段は、高速セル選択が適用されるときに、周辺セルに関する通信環境情報を生成することを特徴とする移動端末装置。
【請求項８】
前記周辺セルに関する通信環境情報は、各セルについての通信環境情報を含むことを特徴とする請求項７記載の移動端末装置。
【請求項９】
前記周辺セルに関する通信環境情報は、通信状態が最も良いセルの識別情報と、前記通信状態が最も良いセルの通信環境情報と、を含むことを特徴とする請求項７記載の移動端末装置。
【請求項１０】
前記周辺セルに関する通信環境情報は、特定のセルについての通信環境情報と、前記特定のセルについての通信環境情報に対する他の周辺セルの通信環境情報の相対値と、を含むことを特徴とする請求項７記載の移動端末装置。
【請求項１１】
前記高速セル選択が適用されるときに、高速セル選択情報を前記無線基地局装置から受け取ることを特徴とする請求項７から請求項１０のいずれかに記載の移動端末装置。
【請求項１２】
前記チャネル推定手段は、前記高速セル選択が適用されるときに、前記セル固有参照信号に加えて端末固有参照信号を用いてチャネル推定を行うことを特徴とする請求項７から請求項１１のいずれかに記載の移動端末装置。
【発明の詳細な説明】
【技術分野】
【０００１】
本発明は、次世代移動通信システムにおける無線基地局装置及び移動端末装置に関する。
【背景技術】
【０００２】
一般に、セルラー方式の移動通信においては、移動端末装置が１つのセルから他のセルに移動するとき、通信相手の無線基地局装置を切り替えるハンドオーバを行う。データリンクレイヤ以下のハンドオーバ機能に関しては、セル間のマクロダイバーシチにより、データリンクレイヤ以下での所要ＱｏＳ（Quality of Service）を保証する。セル間ハンドオーバにおいては、高速パケットスケジューリングやＡＲＱ（Automatic Repeat Request）を考慮した場合、セル切り替え周期が１００ｍｓであることが望ましいとされている。
【０００３】
一方、ＵＭＴＳ（Universal  Mobile  Telecommunications  System）ネットワークにおいては、周波数利用効率の向上、データレートの向上を目的として、ＨＳＤＰＡ（High  Speed  Downlink  Packet  Access）やＨＳＵＰＡ（High  Speed  Uplink  Packet  Access）を採用することにより、Ｗ-ＣＤＭＡ（Wideband  Code  Division  Multiple  Access）をベースとしたシステムの特徴を最大限に引き出すことが行われている。このＵＭＴＳネットワークについては、さらなる高速データレート、低遅延などを目的としてロングタームエボリューション（ＬＴＥ:Long  Term  Evolution）が検討されている（非特許文献１）。また、ＵＭＴＳネットワークにおいては、さらなる広帯域化及び高速化を目的として、ＬＴＥの後継のシステムも検討されている（例えば、ＬＴＥアドバンスト（ＬＴＥ−Ａ）、ＩＭＴアドバンスト(ＩＭＴ-Ａ)）。
【非特許文献１】3GPP, TR25.912 (V7.1.0), "Feasibility study for Evolved UTRAand UTRAN", Sept. 2006
【発明の開示】
【発明が解決しようとする課題】
【０００４】
上記のような次世代の移動通信システムにおいては、ハンドオーバの際のマクロダイバーシチでのセル切り替え周期についてもより高速に行うことが要求されるが、より高速なセル切り替え周期でのセル選択を実現できる方法がいまだないのが現状である。
【０００５】
本発明はかかる点に鑑みてなされたものであり、ハンドオーバの際により高速なセル切り替え周期でセル選択を行うことができる無線基地局装置及び移動端末装置を提供することを目的とする。
【課題を解決するための手段】
【０００６】
本発明の無線基地局装置は、自装置から遠隔に張り出すことができる複数の送受信部を備えた送受信手段と、移動端末装置からの情報に基づいて、当該移動端末装置のハンドオーバの際に高速セル選択が適用されるかどうかを判定する高速セル選択判定手段と、前記高速セル選択判定手段において高速セル選択を適用すると判定されたときに、前記複数の送受信部のそれぞれについて送信／送信停止を制御する制御手段と、を具備することを特徴とする。
【発明の効果】
【０００７】
本発明においては、無線基地局装置で、移動端末装置からの情報に基づいて、ハンドオーバの際に高速セル選択が適用されるかどうかを判定し、高速セル選択を適用すると判定されたときに、少なくとも一つの送受信部の送信／送信停止を制御する。この送信／送信停止の制御は、遠隔に張り出された送受信部及び自装置内に設けられた送受信部を一括して行うことができ、ハンドオーバの際のマクロダイバーシチにおいて、より高速なセル切り替え周期でセル選択を行うことができる。
【発明を実施するための最良の形態】
【０００８】
以下、本発明の実施の形態について、添付図面を参照して詳細に説明する。
（実施の形態１）
図１は、本発明の実施の形態に係る無線基地局装置及び移動端末装置を示す図である。この無線基地局装置及び移動端末装置で構成された無線通信システムにおいて、多重方式として、下り回線（下りリンク）にＯＦＤＭＡ（Orthogonal Frequency Division Multiple Access）を用い、上り回線（上りリンク）にＳＣ−ＦＤＭＡ（Single Carrier Frequency Division Multiple Access）を用いている。
【０００９】
本発明に係る無線基地局装置は、図１に示す構成を有する。この無線基地局装置は、主装置１内に設けられた送受信部１ａと、光ファイバ３により遠隔に張り出された少なくとも一つの送受信部１ｂ，１ｃとを備えている。この無線基地局装置１は、送受信部１ａのセル用の処理部（ベースバンド処理部、呼制御処理部など）、送受信部１ｂのセル用の処理部（ベースバンド処理部、呼制御処理部など）、送受信部１ｃのセル用の処理部（ベースバンド処理部、呼制御処理部など）をすべて主装置１に備え、さらに、送受信部１ａ，１ｂ，１ｃのそれぞれのセルに対して送信／送信停止を行うためのスケジューリングを一括して行う後述するマルチセルスケジューリング制御部や高速セル選択（Fast Cell Selection（ＦＣＳ））を適用するかどうかを判定する後述するＦＣＳ判定部を備えている。また、送受信部１ｂ，１ｃは、光ファイバ３で遠隔に張り出されている。
【００１０】
図１に示す構成、すなわち、光ファイバ３により遠隔に張り出された少なくとも一つの送受信部１ｂ，１ｃを備え、送受信部１ｂ，１ｃのそれぞれの処理部が主装置１に備え、また、マルチセルスケジューリング制御部及びＦＣＳ判定部が主装置１に集められている構成においては、周辺セルに対する下り回線用の処理部が主装置１に集められているので、周辺セルの各セルに対する下り回線用の送信信号のスケジューリングを一括して行うことができる。また、各送受信部１ａ，１ｂ，１ｃで受信した上り回線信号で各送受信部１ａ，１ｂ，１ｃと移動端末装置２との間の通信環境情報（通信環境情報など）を、光ファイバ３を介して主装置１側に集約することができる。このため、これらの情報に基づいてＦＣＳを適用するかどうかを判定することができる。このようなＦＣＳ適用判定と、各セルに対する下り回線信号のスケジューリングとを行うことができるので、より高速なセル選択を行うことが可能となる。なお、送受信部１ｂ，１ｃは必ずしも遠隔に張出す必要はなく、また主装置１内に複数の送受信部を備えることも可能である。或いは主装置１内に送受信部１ａを備えない構成も可能である。また、主装置１と張出された送受信部１ｂ、１ｃとを結ぶケーブルは光ケーブル以外のもを用いることも可能である。
【００１１】
この構成においては、セル間ハンドオーバにおいて、移動端末装置２からの通信環境情報に基づいて、ＦＣＳを適用する必要があるかどうか、すなわち移動端末装置２がセルエッジにいるかどうかを判定する。移動端末装置２がセルエッジにいる場合にはＦＣＳを適用する必要があるので、ＦＣＳを適用する（ＦＣＳモード）。ＦＣＳモードにおいては、周辺セルのうち最も通信環境が良好であるセル（送受信部）から下り回線信号を送信し、その他のセル（送受信部）からの送信を停止する。
【００１２】
ＦＣＳを適用する必要があるかどうか、すなわち移動端末装置２がセルエッジにいるかどうかの判定（セルエッジ識別）は、例えば、周辺セルの識別情報（セルＩＤ）及びそのセルの参照信号受信電力（Reference Signal Received Power：ＲＳＲＰ）などを用いて行うことが好ましい。この場合においては、周辺セル（例えば、ハンドオーバ元とハンドオーバ先）のＲＳＲＰを取得して、両者のＲＳＲＰを比較し、その差が所定の範囲内にあるかどうかで判定する。これは、両者のＲＳＲＰの差が所定の範囲内にあれば、移動端末装置２は、いずれかの送受信部に近いわけではなく、両方の送受信部から同じように遠い、すなわちセルエッジにいると考えられるからである。
【００１３】
図２は、本発明の実施の形態に係る無線基地局装置の構成を示す図である。図２に示す無線基地局装置は、セル固有参照信号のみを生成する装置である。図２に示す無線基地局装置は、複数の周辺セル（ここでは３つのセル）の処理部（セル＃１用処理部、セル＃２用処理部、セル＃３用処理部）と、それぞれのセル＃１、セル＃２、セル＃３用の送信アンプ１０９ａ，１０９ｂ，１０９ｃと、ＦＣＳを適用するかどうかを判定するＦＣＳ判定部１１１と、それぞれのセル＃１、セル＃２、セル＃３に対する送信／送信停止を一括して行うマルチセルスケジューリング制御部１１０と、から主に構成されている。送信アンプ１０９ａ，１０９ｂ，１０９ｃは、それぞれ上述した送受信部（図１における送受信部１ａ，１ｂ，１ｃ）に含まれる構成であり、それぞれセル＃１送信信号、セル＃２送信信号、セル＃３送信信号を送信する際に使用される。また、この送信アンプ１０９ｂ，１０９ｃは、それぞれ図１に示すように、光ファイバで張り出されて遠隔に設置された送受信部に搭載されている。なお、各セルの処理部には、それぞれ受信系処理部（図示せず）が含まれている。
【００１４】
それぞれの処理部は、移動端末装置に送信する制御情報（制御信号）を生成する下り制御情報生成部１０１と、下り制御情報に対して符号化及び変調を行う下り制御情報符号化・変調部１０２と、移動端末装置でのチャネル推定に用いる参照信号（Reference  Signal：ＲＳ）系例（セル固有参照信号系列）を生成する下りＲＳ系列生成部１０３と、移動端末装置に送信するデータを生成する下り送信データ生成部１０４と、下り送信データに対して符号化及び変調を行う下り送信データ符号化・変調部１０５と、符号化・変調後の下り制御情報及び下り送信データと、下りＲＳ系列とを多重する下りチャネル多重部１０６と、チャネル多重後の信号にＩＦＦＴ（Inverse  Fast  Fourier  Transform）演算を行うＩＦＦＴ部１０７と、ＩＦＦＴ演算後の信号にＣＰ（Cyclic  Prefix）を付加するＣＰ付加部１０８と、から主に構成されている。図２においては、セル＃１の処理部に前述した各処理ブロックが記載されているが、セル＃２の処理部、セル＃３の処理部にも同様に前述した各処理ブロックが含まれている。
【００１５】
ＦＣＳ適用判定部１１１は、移動端末装置で受信信号から求められたＦＣＳ適用判定に必要な情報（例えば、移動端末装置がセルエッジにいるかどうか（例えば、ＲＳＲＰの差が所定の範囲内にあるかどうか）の情報）が移動端末装置から通知される。この通知は、例えば上位レイヤでのシグナリングなどを用いて行われる。ＦＣＳ適用判定部１１１で判定されたＦＣＳ適用情報（判定結果）、すなわちＦＣＳを適用するかどうか、必要に応じてどのセルを対象としてＦＣＳを行うのかの情報は、各セルの処理部における下り制御情報生成部１０１、下り送信データ生成部１０４及びマルチセルスケジューリング制御部１１０に出力される。すなわち、ＦＣＳ適用判定部１１１は、ＦＣＳ適用判定に必要な情報を移動端末装置から通知されると、ＦＣＳを適用するかどうかの判定を行い（移動端末装置がセルエッジにいるときにＦＣＳを適用する判定を行う）、そのＦＣＳを適用するという情報（ＦＣＳ適用情報）をそれぞれのセルの下り制御情報の生成部１０１に出力すると共に、高速セル選択を行うために、マルチセルスケジューリング制御部１１０にも出力する。
【００１６】
ＦＣＳ適用情報は、移動端末装置に通知しても良い。移動端末装置にＦＣＳ適用情報を通知することにより、移動端末装置において、周辺セルのすべての通信環境情報を取得し、あるいは、最も通信環境が良好であるセルを特定し、あるいは、セル間の通信環境の相対関係を求め、それらの通信環境情報やセル情報や通信環境の相対関係を無線基地局装置にフィードバックすることが可能となる。このＦＣＳ適用情報の通知は、例えば上位レイヤでのシグナリングなどを用いて行われても良く、個別制御チャネルなどで移動端末装置に送信しても良い。
【００１７】
また、移動端末装置にＦＣＳ適用情報を通知することにより、移動端末装置において端末固有参照信号（個別参照信号）に加えてセル固有参照信号（共通参照信号）を用いてチャネル推定を行うことが可能となる。すなわち、ＦＣＳ適用情報により送信されるセルが変わることを移動端末装置が認識することができるため、セル毎のフォーマットに基づくセル固有参照信号を用いてセル毎にチャネル推定を行うことが可能となる。このようにセル固有参照信号を用いたチャネル推定を、端末固有参照信号のチャネル推定に加えて行うことにより、精度の高いチャネル推定を行うことができ、ＦＣＳ適用判定に必要となる通信環境情報の精度が高くなる。
【００１８】
なお、ＦＣＳ適用情報を移動端末装置に通知しない場合においては、端末固有参照信号を用いたチャネル推定に基づく通信環境情報を無線基地局装置にフィードバックし、無線基地局装置はその単一セルに基づく通信環境情報に基づいてＦＣＳ適用判定を行うことになる。
【００１９】
ＦＣＳ適用情報は、上述したようにＦＣＳ適用判定部１１１から下り制御情報生成部１０１に出力される。通常時（ＦＣＳ適用時以外）においては、下り制御情報には、ユーザＩＤ（端末識別情報）や無線リソース割り当て情報などが含まれる。この下り制御情報を移動端末装置で受信する場合、移動端末装置でユーザＩＤを照合し、ユーザＩＤに対応する移動端末装置のみが無線リソース割り当て情報を復号することができるようになっている（ブラインドでコーディング）。
【００２０】
ＦＣＳ適用時においては、ＦＣＳ情報が下り制御情報生成部１０１に出力される。下り制御情報生成部１０１では、送信を行う送受信部に対応するセル識別情報（セル識別子）を下り制御情報に付加する。例えば、下り制御情報生成部１０１は、ＦＣＳを適用するときに、送信を行うセルの識別情報を含む制御信号を生成しても良い。すなわち、図３（ａ）に示すようなフォーマットで下り制御信号を生成しても良い。このような下り制御情報を受信した移動端末装置は、ブラインドでコーディングによりセル識別情報を復号することができ、これにより送信が行われるセルを識別することができる。このため、移動端末装置は、セル固有参照信号がどのセルのものであるか（どのセルのフォーマットであるか）を識別することができ、これによりセル固有参照信号を用いたチャネル推定を行うことが可能となる。
【００２１】
また、下り制御情報生成部１０１は、送信電力情報を含めて制御信号を生成しても良い。すなわち、図３（ｂ）に示すように、セル識別情報の他に送信電力情報を付加しても良い。このように送信電力情報を付加することにより、移動端末装置にＦＣＳ適用時の送信電力を通知することができるので、ＦＣＳ適用時に通常時より強い送信電力で送信することが可能となる。また、下り制御情報生成部１０１は、端末固有参照信号の有無の情報を含めて制御信号を生成しても良い。すなわち、図３（ｃ）に示すように、セル識別情報の他に端末固有参照信号の有無情報を付加しても良い。このように端末固有参照信号の有無情報を付加することにより、移動端末装置に端末固有参照信号の利用を通知することができるので、移動端末装置において、付加的に用いられる端末固有参照信号も用いてチャネル推定を行うことができる。
【００２２】
マルチセルスケジューリング（高速セル選択）制御部１１０は、ＦＣＳ適用判定部１１１からＦＣＳ適用情報を受けたときに、通信環境が最も良い送受信部（セル）から移動端末装置に送信を行い、その他の送受信部（セル）から移動端末装置に送信を行わないようにマルチセルに対するスケジューリングを行う。すなわち、マルチセルスケジューリング制御部１１０は、ＦＣＳモードにおいて、移動端末装置から送信された周辺セルの通信環境情報（例えば、ＣＱＩ（Channel Quality Indicator）やＰＭＩに基づいて、最も通信環境が良好であるセルを特定し、そのセルの処理部の下り信号の生成部１０１，１０４に信号生成を指示する（マルチセルスケジューリング）。これにより、最も通信環境が良好であるセルの送受信部からのみ送信が行われ、その他のセルの送受信部からの送信が停止される。マルチセルスケジューリング制御部１１０は、送信セルと送信停止セルの制御を含むスケジューリングを複数セル分一括して行う。
【００２３】
図４は、図２に示す無線基地局装置と無線通信を行う移動端末装置の構成を示す図である。図４に示す移動端末装置は、無線基地局装置から送られた信号からＣＰを除去するＣＰ除去部２０１と、受信信号にＦＦＴ演算を行うＦＦＴ部２０２と、ＦＦＴ演算後の信号を制御情報、参照信号及びデータに分離する下りチャネル分離部２０３と、分離された下り制御情報に対して所定の受信処理を行う下り制御情報受信部２０４と、分離された参照信号を用いてチャネル推定を行うチャネル推定部２０５と、チャネル推定結果から受信処理を行う送信セルを選択するチャネル推定セル選択部２０６と、分離された下り送信データに所定の受信処理を行う下り送信データ受信部２０７と、チャネル推定結果に基づいて通信環境（ＣＱＩやＰＭＩ）を推定する通信環境情報推定部２０８と、各セルの通信環境情報から通信環境情報を生成するマルチセル通信環境情報生成部２０９とから主に構成されている。チャネル推定部２０５及び通信環境情報推定部２０８については、各セル分設けられている。
【００２４】
このような構成の移動端末装置において、無線基地局装置からＦＣＳ適用情報が通知された場合には、そのＦＣＳ適用情報が下り制御情報受信部２０４及びマルチセル通信環境情報生成部２０９に出力される。
【００２５】
マルチセル通信環境情報生成部２０９は、ＦＣＳ適用情報を受け取ると、周辺セルの通信環境情報（例えば、ＣＱＩやＰＭＩ）を用いて周辺セルの通信環境の状況（マルチセル通信環境情報）を生成し、無線基地局装置に報告する（無線基地局装置へのフィードバック）。これにより、無線基地局装置は、周辺セルのうちどのセルの通信環境が良好であるかを知ることができる。
【００２６】
移動端末装置が無線基地局装置に通信環境情報をフィードバックする場合には、種々の方法が挙げられる。例えば、周辺セルに関する通信環境情報として、各セルについての通信環境情報を含む、すなわち、図５（ａ）に示すようなフォーマットにより、周辺セルの通信環境情報をすべて報告する。あるいは、周辺セルに関する通信環境情報として、通信状態が最も良いセルの識別情報と、前記通信状態が最も良いセルの通信環境情報と、を含む、すなわち、図５（ｂ）に示すフォーマットにより、各セルの通信環境情報を比較して最も良好なセルを特定し、そのセルの識別情報とそのセルの通信環境情報とを報告する。あるいは、周辺セルに関する通信環境情報として、特定のセルについての通信環境情報と、前記特定のセルについての通信環境情報に対する他の周辺セルの通信環境情報の相対値と、を含む、すなわち、図５（ｃ）に示すフォーマットにより、特定のセル（例えば、ハンドオーバ元のセル）の通信環境情報と、その通信環境情報に対する相対値とを報告する。
【００２７】
下り制御情報受信部２０４は、下り制御情報に対して所定の受信処理、例えばブラインドでコーディングを行う。これにより、自装置宛のデータであるかどうかを識別することができる。そして、自装置宛のデータであることが識別できると、その情報が下り送信データ受信部２０７に送られて、下り送信データに対して所定の受信処理、例えば復調、復号を行う。
【００２８】
下り制御情報受信部２０４にＦＣＳ適用情報が通知されると、ＦＣＳ用の受信フォーマットを変えて受信を行ったり、受信を行うセル数を増加させたりする。例えば、ＦＣＳを適用する場合に、図６（ａ）に示すように、データチャネル（ＰＤＳＣＨ）のみをＦＣＳする場合と、図６（ｂ）に示すように、データチャネル（ＰＤＳＣＨ）と制御チャネル（ＰＤＣＣＨ）とを共にＦＣＳする場合とが考えられる。図６（ｂ）に示す場合については、データチャネルと制御チャネルとが同じセルから送信されるため、受信を行うセルは一つで良いが、図６（ａ）に示す場合については、データチャネルと制御チャネルとが異なるセルから送信されるときがある。この場合においては、２つのセルからの信号を受信する必要があるので、このような場合には、下り制御情報受信部２０４は受信を行うセル数を増加させる。
【００２９】
次に、図２に示す無線基地局装置と図４に示す移動通信装置とでＦＣＳを適用する場合について説明する。ここでは、セル固有参照信号のみを用いてチャネル推定を行う場合について説明する。
【００３０】
まず、移動端末装置において、受信信号から求められたＦＣＳ適用判定に必要な情報（例えば、ＲＳＲＰの差が所定の範囲内にあるかどうかの情報）が移動端末装置から通知される。この通知は、例えば上位レイヤでのシグナリングなどを用いて行われる。無線基地局装置のＦＣＳ適用判定部１１１は、ＦＣＳ適用判定に必要な情報を受け取ると、ＦＣＳを適用するかどうかを判定する。ＦＣＳ適用判定部１１１において、ＦＣＳを適用すると判定したときは、ＦＣＳ適用情報が各セルの処理部の下り制御情報生成部１０１及びマルチセルスケジューリング制御部１１０に出力される。
【００３１】
マルチセルスケジューリング制御部１１０には、通信環境情報（ＣＱＩやＰＭＩ）が移動端末装置から送られる。そして、マルチセルスケジューリング制御部１１０においては、この通信環境情報に基づいて最も通信環境が良好なセルを選択してスケジューリングを行う。この場合、移動端末装置は、通信環境情報を図５（ａ）〜（ｃ）に示すフォーマットで送信する。このスケジューリング情報は、最も通信環境が良好なセル（スケジューリングされたセル）の処理部の下り制御情報生成部１０１及び下り送信データ生成部１０４に送られる。そして、最も通信環境が良好なセルの下り制御情報生成部１０１及び下り送信データ生成部１０４は、このスケジューリング情報に基づいて制御情報や送信データを生成し、生成された制御情報や送信データが、対応する送信アンプを介して送信される。例えば、最も通信環境が良好なセルがセル＃２であれば、セル＃２の下り制御情報生成部１０１及び下り送信データ生成部１０４で制御情報や送信データが生成され、この制御情報や送信データが、光ファイバを介して遠隔に設置された送信アンプ１０９ｂから送信される。
【００３２】
移動端末装置は、無線基地局装置からのＦＣＳ適用情報を受け、下り制御情報受信部２０４及びマルチセル通信環境情報生成部２０９に出力する。また、移動端末装置では、下り制御情報受信部２０４でブラインドデコーディングが行われ、自装置の制御情報であるかどうかを識別する。この識別情報は、下り送信データ受信部２０７に送られる。一方、移動端末装置では、無線基地局装置からの下り回線信号に含まれるセル固有参照信号を用いてチャネル推定部２０５でチャネル推定を行う。得られたチャネル推定値は、下り送信データ受信部２０７における受信処理に用いられる。このようにして下り送信データが得られる。
【００３３】
なお、図６（ａ）に示すように、データチャネルと制御チャネルとが異なるセルから送信される場合には、下り制御情報受信部２０４は受信を行うセル数を増加させるので、チャネル推定を行うセルも増加する。このため、下り制御情報受信部２０４で得られた識別情報は、チャネル推定セル選択部２０６に出力される。そして、チャネル推定セル選択部２０６は、この識別情報を用いて、チャネル推定部２０５からの複数のチャネル推定値から下り送信データの受信処理に用いるチャネル推定値を選択する。
【００３４】
チャネル推定部２０５で求められたセル毎のチャネル推定値は、通信環境情報推定部２０８に送られ、セル毎に通信環境が推定される。そして、このセル毎の通信環境情報がマルチセル通信環境情報生成部２０９に送られる。マルチセル通信環境情報生成部２０９では、セル毎の通信環境情報から無線基地局装置にフィードバックする通信環境情報を生成する。この通信環境情報は、例えば、図３（ａ）〜（ｃ）に示すフォーマットを用いて無線基地局装置にフィードバックされる。そして、無線基地局装置のマルチセルスケジューリング制御部１１０において、この通信環境情報に基づいて最も通信環境が良好なセルを選択してスケジューリングを行う。
【００３５】
このように、本実施の形態のシステムにおいては、無線基地局装置で、移動端末装置からの情報に基づいて、ハンドオーバの際にＦＣＳが適用されるかどうかを判定し、ＦＣＳを適用すると判定されたときに、光ファイバにより遠隔に張り出された少なくとも一つの送受信部及び自装置内に設けられた送受信部の送信／送信停止を制御する。この送信／送信停止の制御は、光ファイバにより遠隔に張り出された送受信部及び自装置内に設けられた送受信部を一括して行うので、ハンドオーバの際のマクロダイバーシチにおいて、より高速なセル切り替え周期でセル選択を行うことができる。
【００３６】
（実施の形態２）
本実施の形態においては、セル固有参照信号に加えて端末固有参照信号を用いてチャネル推定を行う場合について説明する。
図７は、実施の形態２に係る無線基地局装置の構成を示す図である。なお、図７において、図２と同じ部分については図２と同じ符号を付して、その詳細な説明は省略する。図７に示す無線基地局装置においては、端末固有参照信号（個別ＲＳ）を生成する個別ＲＳ系列生成部１１２を備えている。この個別ＲＳ系列生成部１１２には、ＦＣＳ適用判定部１１１からのＦＣＳ適用情報が入力されるようになっており、個別ＲＳ系列生成部１１２は、このＦＣＳ適用情報が入力されると、個別ＲＳを生成する。生成された個別ＲＳは、下りチャネル多重部１０６に送られて下り回線信号として多重される。
【００３７】
図８は、実施の形態２に係る移動端末装置の構成を示す図である。なお、図８において、図４と同じ部分については図４と同じ符号を付して、その詳細な説明は省略する。図８に示す無線基地局装置においては、端末固有参照信号（個別ＲＳ）を用いてチャネル推定を行う個別ＲＳ用チャネル推定部２１０を備え、セル固有参照信号（共通ＲＳ）を用いて得られたチャネル推定値と個別ＲＳを用いて得られたチャネル推定値を合成又は選択するチャネル推定セル選択／合成部２１１がチャネル推定セル選択部２０６の代わりに設けられている。
【００３８】
チャネル推定セル選択／合成部２１１には、ＦＣＳ適用判定部１１１からのＦＣＳ適用情報が入力されるようになっており、チャネル推定セル選択／合成部２１１は、このＦＣＳ適用情報が入力されると、端末固有参照信号を用いたチャネル推定値を用いるか、セル固有参照信号を用いたチャネル推定値を用いるかを選択する、あるいは、端末固有参照信号を用いたチャネル推定値と固有参照信号を用いたチャネル推定値とを合成する。
【００３９】
このように、セル固有参照信号に加えて端末固有参照信号を用いてチャネル推定を行うことにより、チャネル推定値の精度が高まり、下り送信データの受信品質を向上させることができる。
【００４０】
次に、図７に示す無線基地局装置と図８に示す移動通信装置とでＦＣＳを適用する場合について説明する。ここでは、セル固有参照信号に加えて端末固有参照信号を用いてチャネル推定を行う場合について説明する。
【００４１】
まず、移動端末装置において、受信信号から求められたＦＣＳ適用判定に必要な情報（例えば、ＲＳＲＰの差が所定の範囲内にあるかどうかの情報）が移動端末装置から通知される。この通知は、例えば上位レイヤでのシグナリングなどを用いて行われる。無線基地局装置のＦＣＳ適用判定部１１１は、ＦＣＳ適用判定に必要な情報を受け取ると、ＦＣＳを適用するかどうかを判定する。ＦＣＳ適用判定部１１１において、ＦＣＳを適用すると判定したときは、ＦＣＳ適用情報が各セルの処理部の下り制御情報生成部１０１、マルチセルスケジューリング制御部１１０及び個別ＲＳ系列生成部１１２に出力される。
【００４２】
マルチセルスケジューリング制御部１１０には、通信環境情報（ＣＱＩやＰＭＩ）が移動端末装置から送られる。そして、マルチセルスケジューリング制御部１１０においては、この通信環境情報に基づいて最も通信環境が良好なセルを選択してスケジューリングを行う。この場合、移動端末装置は、通信環境情報を図５（ａ）〜（ｃ）に示すフォーマットで送信する。このスケジューリング情報は、最も通信環境が良好なセル（スケジューリングされたセル）の処理部の下り制御情報生成部１０１及び下り送信データ生成部１０４に送られる。そして、最も通信環境が良好なセルの下り制御情報生成部１０１及び下り送信データ生成部１０４は、このスケジューリング情報に基づいて制御情報や送信データを生成し、生成された制御情報や送信データが、対応する送信アンプを介して送信される。例えば、最も通信環境が良好なセルがセル＃２であれば、セル＃２の下り制御情報生成部１０１及び下り送信データ生成部１０４で制御情報や送信データが生成され、この制御情報や送信データが、光ファイバを介して遠隔に設置された送信アンプ１０９ｂから送信される。なお、ＦＣＳ適用情報が個別ＲＳ系列生成部１１２に送られると、端末固有参照信号が生成され、この端末固有参照信号が下り回線信号に多重される。
【００４３】
移動端末装置は、無線基地局装置からのＦＣＳ適用情報を受け、下り制御情報受信部２０４及びマルチセル通信環境情報生成部２０９に出力する。また、移動端末装置では、下り制御情報受信部２０４でブラインドデコーディングが行われ、自装置の制御情報であるかどうかを識別する。この識別情報は、下り送信データ受信部２０７に送られる。一方、移動端末装置では、無線基地局装置からの下り回線信号に含まれるセル固有参照信号を用いてチャネル推定部２０５でチャネル推定を行う。また、個別ＲＳ用チャネル推定部２１０において、端末固有参照信号を用いてチャネル推定を行う。これらのチャネル推定値は、チャネル推定セル選択／合成部２１１に送られる。そして、チャネル推定セル選択／合成部２１１においては、チャネル推定値を選択又は合成する。このチャネル推定値は、下り送信データ受信部２０７における受信処理に用いられる。このようにして下り送信データが得られる。
【００４４】
なお、図６（ａ）に示すように、データチャネルと制御チャネルとが異なるセルから送信される場合には、下り制御情報受信部２０４は受信を行うセル数を増加させるので、チャネル推定を行うセルも増加する。このため、下り制御情報受信部２０４で得られた識別情報は、チャネル推定セル選択／合成部２１１に出力される。そして、チャネル推定セル選択／合成部２１１は、この識別情報を用いて、チャネル推定部２０５からの複数のチャネル推定値から下り送信データの受信処理に用いるチャネル推定値を選択する。
【００４５】
チャネル推定部２０５で求められたセル毎のチャネル推定値は、通信環境情報推定部２０８に送られ、セル毎に通信環境が推定される。そして、このセル毎の通信環境情報がマルチセル通信環境情報生成部２０９に送られる。マルチセル通信環境情報生成部２０９では、セル毎の通信環境情報から無線基地局装置にフィードバックする通信環境情報を生成する。この通信環境情報は、例えば、図３（ａ）〜（ｃ）に示すフォーマットを用いて無線基地局装置にフィードバックされる。そして、無線基地局装置のマルチセルスケジューリング制御部１１０において、この通信環境情報に基づいて最も通信環境が良好なセルを選択してスケジューリングを行う。
【００４６】
このように、本実施の形態のシステムにおいても、無線基地局装置で、移動端末装置からの情報に基づいて、ハンドオーバの際にＦＣＳが適用されるかどうかを判定し、ＦＣＳを適用すると判定されたときに、光ファイバにより遠隔に張り出された少なくとも一つの送受信部及び自装置内に設けられた送受信部の送信／送信停止を制御する。この送信／送信停止の制御は、光ファイバにより遠隔に張り出された送受信部及び自装置内に設けられた送受信部を一括して行うので、ハンドオーバの際のマクロダイバーシチにおいて、より高速なセル切り替え周期でセル選択を行うことができる。
【００４７】
本発明は上記実施の形態に限定されず、種々変更して実施することが可能である。例えば、本発明の範囲を逸脱しない限りにおいて、上記説明におけるセルの数、処理部の数、処理手順、通信環境を示すパラメータについては適宜変更して実施することが可能である。その他、本発明の範囲を逸脱しないで適宜変更して実施することが可能である。
【図面の簡単な説明】
【００４８】
【図１】本発明の実施の形態１に係る無線基地局装置及び移動端末装置を示す図である。
【図２】本発明の実施の形態１に係る無線基地局装置の概略構成を示す図である。
【図３】（ａ）〜（ｃ）は、下り制御情報のフォーマットを示す図である。
【図４】本発明の実施の形態１に係る移動端末装置の概略構成を示す図である。
【図５】（ａ）〜（ｃ）は、無線基地局装置への通信環境情報のフィードバック用のフォーマットを示す図である。
【図６】（ａ），（ｂ）は、制御チャネル及びデータチャネルのＦＣＳの適用を示す図である。
【図７】本発明の実施の形態２に係る無線基地局装置の概略構成を示す図である。
【図８】本発明の実施の形態２に係る移動端末装置の概略構成を示す図である。
【符号の説明】
【００４９】
１０１  下り制御情報生成部
１０２  下り制御情報符号化・変調部
１０３  下りＲＳ系列生成部
１０４  下り送信データ生成部
１０５  下り送信データ符号化・変調部
１０６  下りチャネル多重部
１０７  ＩＦＦＴ部
１０８  ＣＰ付加部
１０９ａ，１０９ｂ，１０９ｃ  送信アンプ
１１０  マルチセルスケジューリング制御部
１１１  ＦＣＳ適用判定部
１１２  個別ＲＳ系列生成部
２０１  ＣＰ除去部
２０２  ＦＦＴ部
２０３  下りチャネル分離部
２０４  下り制御情報受信部
２０５  チャネル推定部
２０６  チャネル推定セル選択部
２０７  下り送信データ受信部
２０８  通信環境情報推定部
２０９  マルチセル通信環境情報生成部
２１０  個別ＲＳ用チャネル推定部
２１１  チャネル推定セル選択／合成部
【図１】
2010045550.tif 000003
【図２】
2010045550.tif 000004
【図３】
2010045550.tif 000005
【図４】
2010045550.tif 000006
【図５】
2010045550.tif 000007
【図６】
2010045550.tif 000008
【図７】
2010045550.tif 000009
【図８】
2010045550.tif 000010